(57)【特許請求の範囲】
【請求項１】
雨樋にて集水された雨水が流れ込む有底集水部と、この有底集水部に流れ込む雨水を排水する竪樋と、この竪樋の上端部に配設された有底溜まり部と、この有底溜まり部と前記有底集水部との間を上側から連通する連通管とからなり、この連通管内に水が満たされ、かつ、その一端部は前記雨水が溜まっている有底集水部内に、他端部は前記雨水が溜まっている有底溜まり部内に、それぞれ達するように配設され、前記有底集水部に流れ込む雨水が、サイフォンの原理にて連通管を通じて有底溜まり部内に排出されるようになされていることを特徴とする建物の軒先排水構造。
【請求項２】
有底集水部の上端が有底溜まり部の上端より上方に位置し、かつ、有底集水部内に達するように配設された連通管の下端が有底溜まり部の上端より下方に位置している請求項１記載の建物の軒先排水構造。
【請求項３】
連通管の頂部が前記有底集水部および有底溜まり部よりも高くなされ、連通管の両端部を除いた部分が屋根の内部に配設されている請求項１または２記載の建物の軒先排水構造。
【請求項４】
有底集水部および有底溜まり部の上端がともに開口され、この両上端開口が浮体にて覆われ、雨水の水位に応じて、前記両浮体が上下方向に移動可能に設置されている請求項１乃至３のいずれかに記載の建物の軒先排水構造。
【請求項５】
竪樋が建物内に配置されている請求項１乃至４のいずれかに記載の建物の軒先排水構造。
【発明の詳細な説明】
【０００１】
【発明の属する技術分野】
本発明は建物の軒先排水構造、詳しくはサイフォンの原理を利用して、雨樋にて集水された雨水を竪樋に排出するようにした軒先排水構造に関する。
【０００２】
【従来の技術】
従来の軒先排水構造は、図８に示すように、竪樋１ａが建物の外壁Ｗに固着した支持金具２ａに保持され、屋根Ｒに降った雨水が軒樋３ａによって集められ、例えばじょうご４ａ、エルボ５ａ、呼び樋６ａ、エルボ７ａを通って上記竪樋１ａに流れ込み、この竪樋１ａ内を流下する構造となっている（例えば実開昭６２−１９００３７号公報を参照）。ところで、この場合、エルボや呼び樋が外部から見えるので、軒先の外観が見劣りするという問題があった。
【０００３】
この軒先の外観を綺麗に見せる軒先の排水構造として、たとえば実公平４−１１０５３号公報や特開平２−１７６０５８号公報において、改良された軒先の排水構造が記載されている。すなわち、実公平４−１１０５３号公報に記載の排水構造は、図９に示すように、軒樋本体を複数の箱形有底部材１ｂによって構成し、この箱形有底部材１ｂに呼び樋などの接続部品を覆い隠す部材としての役目を持たせるようにしたものである。なお、９ｂは排水パイプ、１０ｂは集合パイプ、１１ｂはエルボ、１２ｂは竪樋、１３ｂは取付板、１４ｂは板状部、１５ｂは継手、１１０ｂは水平な軒天井である。
【０００４】
また、特開平２−１７６０５８号公報に記載の排水構造は、図１０に示すように、軒樋１ｃと縦樋２ｃとを連通する呼び樋３ｃを水平な軒天井５ｃの裏に配設し、軒樋１ｃと呼び樋３ｃを横引ドレーン７ｃにて接続し、この横引ドレーン７ｃにごみ除けネット４ｃを設けたものである。
【０００５】
【発明が解決しようとする課題】
しかしながら、上記従来の排水構造は、軒天井が水平な場合のみしか適用できない。つまり、軒裏を傾斜天井とするものには適用できない。しかも、上記実公平４−１１０５３号公報に記載の軒先の排水構造においては、取付板や板状部を有する特殊な形状をした箱形有底部材を製作するのが大変であり、しかも、各箱形有底部材の後壁にそれぞれパイプ接続口を開設して排水パイプの一端と接続し、この複数の排水パイプの他端を共通の集合パイプに接続しなければならず、接続作業の工数が掛かって、施工コストが大幅に増大するという問題があった。また、接続箇所が多数存在するので、接続部からの雨水の漏水の恐れが高く、信頼性に劣るという問題もある。
【０００６】
また、上記特開平２−１７６０５８号公報に記載の軒先の排水構造においては、確かに、従来の自在ドレーンを横引ドレーンとすることにより、軒樋側のエルボは不要となり、しかも、呼び樋を軒天井の裏に配設することにより、軒部の外観は高まるが、軒樋の底部の所定箇所に排水口を形成しなければならず、特殊形状の軒樋となり、その製作が大変であり、しかも、軒樋の排水口と、横引ドレーンの開口との接続は慎重に行わざるを得ない。この部分での接続が不良であると、軒天井の裏にて雨水の漏水事故が発生する恐れが大きい。
【０００７】
本発明は、軒裏を屋根面と平行な傾斜軒天井にする場合にも適用でき、従来のように自在ドレーン、エルボ、呼び樋などが不要であり、このため、軒先の美的外観に優れており、しかも、サイフォンの原理を利用して、雨樋から竪樋への雨水の排出を有効に行うことのできる建物の軒先排水構造を提供することを目的とするものである。
【０００８】
【課題を解決するための手段】
請求項１記載の本発明の建物の軒先排水構造は、雨樋にて集水された雨水が流れ込む有底集水部と、この有底集水部に流れ込む雨水を排水する竪樋と、この竪樋の上端部に配設された有底溜まり部と、この有底溜まり部と前記有底集水部との間を上側から連通する連通管とからなり、この連通管内に水が満たされ、かつ、その一端部は前記雨水が溜まっている有底集水部内に、他端部は前記雨水が溜まっている有底溜まり部内に、それぞれ達するように配設され、前記有底集水部に流れ込む雨水が、サイフォンの原理にて連通管を通じて有底溜まり部内に排出されるようになされているものである。
【０００９】
請求項２記載の本発明の建物の軒先排水構造は、請求項１記載の軒先排水構造であって有底集水部の上端が有底溜まり部の上端より上方に位置し、かつ、有底集水部内に達するように配設された連通管の下端が有底溜まり部の上端より下方に位置しているものである。
【００１０】
請求項３記載の本発明の建物の軒先排水構造は、請求項１又は２記載の軒先排水構造であって、連通管の頂部が前記有底集水部および有底溜まり部よりも高くなされ、連通管の両端部を除いた部分が屋根の内部に配設されているものである。
【００１１】
請求項４記載の本発明の建物の軒先排水構造は、請求項１乃至３のいずれかに記載の軒先排水構造であって、有底集水部および有底溜まり部の上端がともに開口され、この両上端開口が浮体にて覆われ、雨水の水位に応じて、前記両浮体が上下方向に移動可能に設置されているものである。
【００１２】
請求項５記載の本発明の建物の軒先排水構造は、請求項１乃至４のいずれかに記載の軒先排水構造であって、竪樋が建物内に配置されているものである。
【００１３】
本発明における有底集水部は、雨樋にて集水されて流れ込む雨水を集水するものであれば、有底の上方が開口した筒状体、タンクなどのいかなる形態のものでもよい。筒状体およびタンクの断面形状は円形、矩形、楕円形などのいずれでもよい。そして、有底集水部は雨樋の底部より下方に張り出して設けても、あるいは、雨樋の側方または後方に、雨樋とは別に設けてもよい。タンク状の有底集水部の場合、タンク上壁のどこかに空気出入口を設けておけばよい。有底集水部の大きさ（容量）は後述の有底溜まり部に比べて大きくするのがよい。
【００１４】
本発明における有底溜まり部は、雨水を排水する竪樋の上端部に配設されて用いられるものであり、有底の上方が開口した筒状体のものであればよい。
【００１５】
本発明において用いられる連通管は、上記有底集水部と有底溜まり部との間を上側から連通する管状体のものであれば、その断面形状などは特に限定されない。管状体は透明あるいは不透明のいずれでもよいが、透明なものとすれば、連通管内の水の状態を外部より把握することができる。また、管状体は軟質ホース、あるいは内面が平滑で外面が凹凸状とされた可撓性を有する可撓管であってもよい。
【００１６】
（作用）
請求項１記載の本発明においては、有底集水部内に雨水が流れ込むと、この有底集水部内の水位が、有底溜まり部の水位よりも高くなるので、サイフォンの原理にて連通管を通じて有底溜まり部内に雨水が流れ、竪樋に排出される。
【００１７】
請求項２記載の本発明においては、有底集水部の上端が有底溜まり部の上端より上方に位置し、かつ、有底集水部内に達するように配設された連通管の下端が有底溜まり部の上端より下方に位置しているので、有底集水部内の水位が有底溜まり部の上端よりも高くなると、連通管を通じて連続して雨水の竪樋への排出を行え、しかも、雨水の排出が終わっても、有底集水部内の連通管の下端は常に水面下にあるため、空気が入り込まず、連通管の封水は破られない。
【００１８】
請求項３記載の本発明においては、軒裏が傾斜天井のものでも、連通管の両端部を除いた部分が屋根の内部に配設されているので、連通管が外から見えないものとなり、軒先の外観は良好である。
【００１９】
請求項４記載の本発明においては、有底集水部および有底溜まり部の上端開口がともに、上下方向に移動可能に設置された浮体にて覆われているので、有底集水部および有底溜まり部に溜まっている雨水の蒸発は防止される。
【００２０】
請求項５記載の本発明においては、竪樋が建物内に配置されているので、軒先を含む建物の外観がさらに優れている。
【００２１】
【発明の実施の形態】
以下、本発明の実施の形態の一例を図面に基づいて説明する。
図１は本発明の一実施例を示す概略説明図、図２は図１の要部を示す拡大縦断面図、図３は図２のＸ−Ｘ線における断面図、図４は図２のＹ−Ｙ線における断面図、図５は図２のＺ−Ｚ線における断面図である。
【００２２】
図１において、１は内樋タイプの雨樋であり、建物の屋根Ｒの軒側端縁に沿って、所定の水勾配を有して設けられている。雨樋１はたとえば表面が塩化ビニル樹脂にて被覆された鋼板などからなるものである。２は上方が開口した短円筒状の有底集水部であり、雨樋１の水下側の底部より下方に張り出して設けられている。すなわち、図２に示すように、有底集水部２はその上端フランジ部２１が雨樋１の底部内面１１に接着して固定されている。有底集水部２はたとえば塩化ビニル樹脂製のものである。
【００２３】
３は住宅内に配置されている断面が円形の竪樋であり、この竪樋３の上端部外面には、図２に示すように、ソケット状の継手４が接続されている。継手４の長手方向のほぼ中央内面には環状突起４１が設けられている。５は上方が開口した短円筒状の有底溜まり部であり、その外径は竪樋３の内径より小径とされている。有底溜まり部５はたとえば塩化ビニル樹脂製のものである。
【００２４】
この結果、竪樋３の内面と有底溜まり部５の外面との間に環状の隙間Ｓが形成されている。有底溜まり部５の上部外面には、図４に示すように、４本の支持腕５１が四方に一体に突設されている。そして、この支持腕５１の先端下面が継手４の環状突起４１の上面に係止されることにより、図２に示すように、有底溜まり部５が継手４および竪樋３内に配置されている。有底溜まり部５の上端位置は、上記雨樋１の底部内面１１、すなわち、有底集水部２のフランジ部２１位置よりも下方に位置するように配置されている。
【００２５】
有底集水部２と有底溜まり部５との間は、連通管６にて連通されている。この連通管６は塩化ビニル樹脂製の透明な管であり、その両端部を除いた部分は、屋根Ｒとほぼ平行に庇内部に配置されている。すなわち、連通管６の頂部は、図１から明らかなように、有底集水部２および有底溜まり部５よりもずっと高い位置に位置している。連通管６の雨樋１側の一端部６１は、雨水Ｗが溜まっている有底集水部２内に達するように上方から配設されている。具体的には、図３に示すように、連通管６の一端部６１の外面に支持部材７が装着されている。
【００２６】
支持部材７は環状部７１と、この環状部７１の外面から四方に一体に突設された４本の支持腕７２とからなるものである。なお、環状部７１の内径は一端部６１の外径にほぼ等しくされている。そして、この支持腕７２の先端面が有底集水部２の内面に当接して係止されることにより、図２に示すように、連通管６の一端部６１が有底集水部２内に配設されている。この際、連通管６の一端部６１の下端位置は、有底溜まり部５の上端位置よりも下方に位置するように配設されている。
【００２７】
一方、連通管６の竪樋３側の他端部６２は、雨水Ｗが常に満水状態で溜まっている有底溜まり部５内に達するように上方から配設されている。具体的には、図５に示すように、連通管６の他端部６２の外面に支持部材８が装着されている。支持部材８は環状部８１と、この環状部８１の外面から四方に一体に突設された４本の支持腕８２とからなるものである。なお、環状部８１の内径は他端部６２の外径にほぼ等しくされている。そして、この支持腕８２の先端面が継手４の内面に当接して係止されることにより、図２に示すように、連通管６の他端部６２が有底溜まり部５内に配設されている。
【００２８】
雨水Ｗがそれぞれ溜まっている有底集水部２と有底溜まり部５との間が、上記のとおり、水が満たされた連通管６にて連通されることにより、本発明における軒先排水構造が形成されている。
【００２９】
つぎに上記実施例の軒先排水構造の排水作用について説明する。
屋根Ｒに降った雨水が雨樋１にて集水され、この雨水が雨樋１の水下側に流れて、有底集水部２内の水位が上昇する。この水位の上昇とともに、有底集水部２内の水面に作用する大気圧と、有底溜まり部５内の水面に作用する大気圧との間で差が生じる。この結果、有底集水部２内に流れ込む雨水は、サイフォンの原理にて、連通管６の一端部６１開口より上方に吸い上げられ、連通管６を通じて上昇しながら移動し、連通管６の他端部６２の開口より有底溜まり部５内に排出される。
【００３０】
そして、有底溜まり部５は常に満水状態となっているので、有底溜まり部５内に溜まっている雨水は、連通管６の他端部６２の開口より流れ込む雨水量に対応して、有底溜まり部５の上端開口から溢れ出し、竪樋３の内面と有底溜まり部４の外面との間に存在する環状の隙間Ｓを通じて竪樋３内を流れ、竪樋３の下端に接続される排水管（図示せず）に流れ込んで建物外に排水されることになる。この排水作用は雨が降っている間、連続して行われることになる。
【００３１】
雨が止んで、有底集水部２内に流れ込む雨水がほとんどなくなると、有底集水部２内の水位の下降とともに、連通管６を通じて有底溜まり部５側に流れ込む雨水の量が減少し、図６に示すように、有底集水部２内の水位が有底溜まり部５の上端位置と等しくなった状態で、有底集水部２側から有底溜まり部５側への雨水の移動は停止する。そして、再び雨が降ると、上記と同様の排水作用が繰り返して行われる。
【００３２】
ところで、図６に示す状態から長い間雨が降らないと、有底集水部２および有底溜まり部５内に溜まっている雨水が蒸発して、連通管６の封水が破れ、上記サイフォンの原理が作用しなくなる恐れがある。なお、この時、連通管６が透明であるので、連通管６内の水の状態を把握しやすい。
【００３３】
このために、たとえば図７に示すように、有底集水部２のおよび有底溜まり部５の上端開口をともに浮体９、１０にて覆い、雨水の蒸発を防止するのが望ましい。浮体９、１０はともに発泡スチレン製の円板状のものであり、その中央部に連通管６の外径より少し大きい孔９ａ、１０ａが形成されている。この孔９ａ、１０ａを利用して、浮体９、１０が連通管６に沿って上下方向に移動可能に設置されている。なお、浮体１０は有底溜まり部５の上端と支持部材との間に設置されている。
【００３４】
雨が降って、雨樋１にて集水された雨水が水下側に流れてくると、有底集水部２の周りの雨水の水位が上昇する。この水位の上昇とともに、図７にて二点鎖線で示すように、浮体９が水の浮力により連通管６に沿って上昇する。この結果、浮体９にて覆われていた有底集水部２の上端開口は開口状態とされ、有底集水部２内に雨水が流れ込み、内部の水位が上昇する。この水位の上昇とともに、上述のサイフォンの原理が作用して、有底集水部２内の雨水が連通管６を通じて有底溜まり部５内に排出される。この際、有底溜まり部５内の水位が上昇する上昇圧により、図７にて二点鎖線で示すように、浮体１０が上方に持ち上げられ、有底溜まり部５内に溜まっている雨水は、有底溜まり部５の上端開口から溢れ出し、竪樋３を通じて排水される。
【００３５】
そして、有底集水部２内に流れ込む雨水がなくなると、浮体９は連通管６に沿って下降して元の位置に復帰し、有底集水部２の上端開口を再び覆うことになる。一方、有底溜まり部５内に流れ込む雨水量の減少とともに、浮体１０を持ち上げる上昇圧も低下し、浮体１０は連通管６に沿って下降して元の位置に復帰し、有底溜まり部５の上端開口を再び覆うことになる。この結果、有底集水部２および有底溜まり部５内の雨水の蒸発を防止できる。
【００３６】
上記実施例においては、内樋タイプの雨樋に適用したが、鼻隠し板などの軒先に樋支持具にて取り付けられた外樋タイプの雨樋に適用することもできる。
【００３７】
【発明の効果】
請求項１ないし５記載の本発明においては、雨水が溜まっている有底溜まり部と、雨水が溜まっている有底集水部との間を、上側から連通する連通管内に水が満たされ、かつ、連通管の一端部は有底集水部内に、他端部は有底溜まり部内に、それぞれ達するように配設され、有底集水部に流れ込む雨水が、サイフォンの原理にて連通管を通じて有底溜まり部内に排出されるようにされているので、屋根に降った雨水の排出を有効に行える。したがって、軒裏が屋根面とほぼ平行な傾斜天井の場合でも有効に適用できる。また、従来のように継手部材間の接続箇所がほとんどないので、雨水の漏水の恐れは全く生じない。
【００３８】
請求項２記載の本発明においては、有底集水部の上端が有底溜まり部の上端より上方に位置し、かつ、有底集水部内に達するように配設された連通管の下端が有底溜まり部の上端より下方に位置しているので、有底集水部側から有底溜まり部側への雨水の排水を連通管を通じて行える。しかも、雨水の排出が終わっても、有底集水部内の連通管の下端は常に水面下にあるため、空気が入り込まず、連通管の封水は破られない。
【００３９】
請求項３記載の本発明においては、連通管の頂部が有底集水部および有底溜まり部よりも高くなされ、連通管の両端部を除いた部分が屋根の内部に配設されているので、連通管は外から見えず、軒先の外観は良好である。
【００４０】
請求項４記載の本発明においては、有底集水部および有底溜まり部の上端開口がともに、上下方向に移動可能に設置された浮体にて覆われているので、有底集水部および有底溜まり部に溜まっている雨水の蒸発は防止される。このため、晴天が続いて雨が長期間降らなくても、連通管の封水は破られず、サイフォンの原理による雨水の排出は再び継続して行われる。
【００４１】
請求項５記載の本発明においては、竪樋が建物内に配置されているので、軒先を含む建物の外観がさらに優れている。
【図面の簡単な説明】
【図１】  本発明の一実施例を示す概略説明図である。
【図２】  図１の要部を示す拡大縦断面図である。
【図３】  図２のＸ−Ｘ線における切断断面図である。
【図４】  図２のＹ−Ｙ線における切断断面図である。
【図５】  図２のＺ−Ｚ線における切断断面図である。
【図６】  図２の定常状態を示す拡大縦断面図である。
【図７】  本発明の他の実施例の要部を示す拡大断面図である。
【図８】  従来の軒先排水構造を示す説明図である。
【図９】  従来の改良された軒先排水構造を示す説明図である。
【図１０】  従来の改良された他の軒先排水構造を示す説明図である。
【符号の説明】
Ｒ          屋根
１          雨樋
１１        底部内面
２          有底集水部
２１        フランジ部
３          竪樋
４          継手
４１        環状突起
５          有底溜まり部
５１        支持腕
Ｓ          環状の隙間
６          連通管
６１        一端部
６２        他端部
７、８      支持部材
７１、８１  環状部
７２、８２  支持腕
Ｗ          雨水
９、１０    浮体
【図１】
0003652026.tif 000002
【図２】
0003652026.tif 000003
【図３】
0003652026.tif 000004
【図４】
0003652026.tif 000005
【図５】
0003652026.tif 000006
【図６】
0003652026.tif 000007
【図７】
0003652026.tif 000008
【図８】
0003652026.tif 000009
【図９】
0003652026.tif 000010
【図１０】
0003652026.tif 000011